(57)【要約】【目的】  簡単かつ迅速に支持台の所定位置に取り付け可能な顎模型及び歯科咬合器を提供する。【解決手段】  顎模型１と顎模型支持台２とから成り、顎模型支持台の顎模型固定面の中央部分には、中心孔を有したリング状のマグネット７が、当該マグネットの吸着面が顎模型固定面に表出するようにして埋設されており、顎模型側の対応する位置にはマグネット吸着板５と、当該マグネット吸着板の表面よりも外側方向に突出し、先端側部分が丸味を帯びた形状で、マグネットの中心孔径よりも一回り小さな外径を有した、非磁性材質より成る突起部材６が設けられており、顎模型が所定の取り付け位置からずれた状態では、突起部材の先端側部分がマグネットの中心孔以外の部分に当接し、マグネットと吸着板の間に隙間が形成されるが、所定の取り付け位置では、突起部材の先端側部分がマグネットの中心孔に収容されて磁力により固定保持される。【選択図】  図１
2005152069.tif 000002
【特許請求の範囲】
【請求項１】
口腔内における歯牙の植立状態を模した顎模型と、前記顎模型を固定保持するための顎模型支持台とから成り、前記顎模型を前記顎模型支持台の所定位置に着脱可能に取り付けて使用される歯科咬合器であって、前記顎模型支持台の顎模型固定面の中央部分には、取り付け位置決め用の中心孔を有したリング状のマグネットが、当該マグネットの吸着面が前記顎模型固定面に表出するようにして埋設されており、一方、前記顎模型の、前記顎模型支持台のマグネットと対応する位置には、当該マグネットが吸着し得る材質より成るマグネット吸着板と、当該マグネット吸着板の表面よりも外側方向に突出し、先端側部分が丸味を帯びた形状で、前記マグネットの中心孔の内径よりも一回り小さな外径を有した、非磁性材質より成る取り付け位置誘導用の突起部材が設けられており、前記顎模型を前記顎模型支持台に取り付ける際、前記顎模型が所定の取り付け位置からずれた状態では、前記突起部材の先端側部分が前記マグネットの中心孔以外の部分に当接して、当該マグネットとマグネット吸着板との間に一定の隙間が形成されることにより強力な磁力が働かずに前記顎模型を任意の方向へ摺動可能であるが、前記顎模型が所定の取り付け位置に達した際には、前記突起部材の先端側部分が前記マグネットの中心孔に収容され、かつ前記マグネットの磁力によって前記顎模型が前記顎模型支持台に固定保持される構造であることを特徴とする歯科咬合器。
【請求項２】
前記マグネット吸着板の表面からの前記突起部材の突起高さが３〜６ｍｍであることを特徴とする請求項１に記載の歯科咬合器。
【請求項３】
前記顎模型のマグネット吸着板の周縁の少なくとも一部に実質的にＵ字状の切り欠き部が設けられており、前記顎模型支持台の顎模型固定面には、前記切り欠き部と対応する位置に位置決めピンが設けられており、前記顎模型を前記顎模型支持台の所定の位置に取り付けた際に、前記位置決めピンが前記切り欠き部に嵌合される構造であることを特徴とする請求項１又は２に記載の歯科咬合器。
【請求項４】
口腔内における歯牙の植立状態を模した顎模型であって、当該顎模型を固定保持するための顎模型支持台の所定位置に取り付けて使用されるものにおいて、前記顎模型の中央部分には、マグネットが吸着し得る材質より成るマグネット吸着板と、当該マグネット吸着板の表面よりも外側方向に突出した取り付け位置誘導用の突起部材が設けられており、前記突起部材が、先端側部分が丸味を帯びた形状を有し、非磁性材質にて構成されていることを特徴とする顎模型。
【請求項５】
前記マグネット吸着板の表面からの前記突起部材の突起高さが３〜６ｍｍであることを特徴とする請求項４に記載の顎模型。
【発明の詳細な説明】
【技術分野】
【０００１】
本発明は、歯科咬合器及び当該咬合器に用いる顎模型に関するものである。
【背景技術】
【０００２】
これまでに、マグネットの磁力を利用して顎模型を支持台に固定する構造の咬合器がいくつか知られているが、これまでの咬合器の場合、顎模型を支持台に近づけると多少決められた位置からずれた位置であっても磁力により顎模型と支持台との間に強力な吸着力が作用して顎模型が固定されてしまい、顎模型を支持台から引き離して再度、正しい位置に取り付け直さなければならないという問題点があった。又、顎模型の取り付け位置を決める手段として、顎模型と支持台の対応する位置に凹部と凸部を設けて嵌め込み固定する構造のもの（例えば下記の特許文献１など）も知られているが、このような咬合器の場合には、経験と感によって手探り状態で凹部と凸部を嵌め合わせなければならず、取り付けに時間がかかるという問題点があった。
【特許文献１】特開２００３−９３４０９号公報
【発明の開示】
【発明が解決しようとする課題】
【０００３】
本発明は、従来の歯科咬合器の問題点を解決し、簡単かつ迅速に顎模型を正しい位置に固定できる構造を有した歯科咬合器、及びこの咬合器に用いる顎模型を提供することを課題とする。
本発明者は種々検討を行った結果、顎模型側の固定平面部の中央部近傍に、マグネット吸着板の表面から外側方向に突出し、かつ先端側部分が丸みを帯びた形状である突起部（プラスチック等の非磁性材質より成るもの）を設けると共に、支持台（固定台）側の前記突起部と対応する位置にリング状マグネットを設け、顎模型が所定の取り付け位置からずれた位置にある場合には、突起部材の先端側部分がリング状マグネットの中心孔以外の部分に当接することによりマグネットとマグネット吸着板との間に一定の隙間が形成され、マグネットの磁力が小さい状態で顎模型を任意の方向へ摺動できるが、顎模型が所定の取り付け位置に達した際には、突起部材の先端側部分がリング状マグネットの中心孔内に収容されて顎模型が支持台の所定位置に確実に固定保持される構造とすることによって、簡単かつ迅速に顎模型を正しい位置に固定できることを見出して、本発明を完成した。
【課題を解決するための手段】
【０００４】
即ち、本発明の歯科咬合器は、口腔内における歯牙の植立状態を模した顎模型と、前記顎模型を固定保持するための顎模型支持台とから成り、前記顎模型を前記顎模型支持台の所定位置に着脱可能に取り付けて使用される歯科咬合器であって、前記顎模型支持台の顎模型固定面の中央部分には、取り付け位置決め用の中心孔を有したリング状のマグネットが、当該マグネットの吸着面が前記顎模型固定面に表出するようにして埋設されており、一方、前記顎模型の、前記顎模型支持台のマグネットと対応する位置には、当該マグネットが吸着し得る材質より成るマグネット吸着板と、当該マグネット吸着板の表面よりも外側方向に突出し、先端側部分が丸味を帯びた形状で、前記マグネットの中心孔の内径よりも一回り小さな外径を有した、非磁性材質より成る取り付け位置誘導用の突起部材が設けられており、前記顎模型を前記顎模型支持台に取り付ける際、前記顎模型が所定の取り付け位置からずれた状態では、前記突起部材の先端側部分が前記マグネットの中心孔以外の部分に当接して、当該マグネットとマグネット吸着板との間に一定の隙間が形成されることにより強力な磁力が働かずに前記顎模型を任意の方向へ摺動可能であるが、前記顎模型が所定の取り付け位置に達した際には、前記突起部材の先端側部分が前記マグネットの中心孔に収容され、かつ前記マグネットの磁力によって前記顎模型が前記顎模型支持台に固定保持される構造であることを特徴とする。
【０００５】
又、本発明は、前述の特徴を有した歯科咬合器において、前記マグネット吸着板の表面からの前記突起部材の突起高さが３〜６ｍｍであることを特徴とするものでもある。
更に本発明は、前述の特徴を有した歯科咬合器において、前記顎模型のマグネット吸着板の周縁の少なくとも一部に実質的にＵ字状の切り欠き部が設けられており、前記顎模型支持台の顎模型固定面には、前記切り欠き部と対応する位置に位置決めピンが設けられており、前記顎模型を前記顎模型支持台の所定の位置に取り付けた際に、前記位置決めピンが前記切り欠き部に嵌合される構造であることを特徴とするものでもある。
【０００６】
又、本発明は、口腔内における歯牙の植立状態を模した顎模型であって、当該顎模型を固定保持するための顎模型支持台の所定位置に取り付けて使用されるものにおいて、前記顎模型の中央部分には、マグネットが吸着し得る材質より成るマグネット吸着板と、当該マグネット吸着板の表面よりも外側方向に突出した取り付け位置誘導用の突起部材が設けられており、前記突起部材が、先端側部分が丸味を帯びた形状を有し、非磁性材質にて構成されていることを特徴とするものでもある。
更に本発明は、前述の特徴を有した顎模型において、前記マグネット吸着板の表面からの前記突起部材の突起高さが３〜６ｍｍであることを特徴とするものでもある。
【発明の効果】
【０００７】
本発明の歯科咬合器の場合、顎模型が顎模型支持台の所定位置に達するまではマグネットとマグネット吸着板との間に一定の隙間が形成されることで強力な磁力が働かず、突起部材の先端側部分が丸みを帯びた形状であることによりマグネットに損傷を与えることなく比較的弱い力で顎模型を前後左右に移動させることができ、所定位置への取り付けが迅速に行えるという利点がある。又、上記の構造を有した本発明の顎模型は、簡単かつ迅速に支持台の所定位置に取り付けることができ非常に便利である。
【発明を実施するための最良の形態】
【０００８】
まず、本発明の歯科咬合器の好ましい一例を図面に示して、本発明を説明する。
図１は、本発明の歯科咬合器の構造の一例を示す分解図である。図１に示されるように、本発明の歯科咬合器は、口腔内における歯牙の植立状態を模した顎模型（上顎模型と下顎模型）１と、この顎模型１を着脱可能に取り付けるための顎模型支持台（上顎模型支持台と下顎模型支持台）２とから構成されており、この顎模型１には、歯牙(模型歯）固定用ネジ３によって歯牙４が固定されており、顎模型支持台２と対向する固定面側には、歯牙４よりなる馬蹄型歯列の内側に位置するようにして、マグネットが吸着し得る材質より成るマグネット吸着板５が取り付けられている。尚、この図１の顎模型では、マグネット吸着板５がネジ留めによって顎模型１に固定されているが、マグネット吸着板５の取り付け方法はこれに限定されるものではない。
そして、本発明の歯科咬合器にあっては、顎模型１の固定面側の中央部分に、先端側部分が丸味を帯びた形状の突起部材６が設けられており、この突起部材６の先端側部分は、マグネット吸着板５の表面（吸着面）よりも外側方向に突出しており、一定の滑り性を有し、かつマグネットが吸着しないような非磁性材料から構成されており、顎模型を正しい取り付け位置に誘導する際に機能する。
一方、顎模型１を固定保持するための顎模型支持台２の顎模型固定面の中央部には、顎模型１のマグネット吸着板５と対応するようにして、図１に示されるような中心孔（取り付け位置決め孔）を有したリング状のマグネット７が、当該マグネット７の吸着面が顎模型固定面と同一表面を形成するように表出して埋設されている。この際、突起部材６の先端側部分の外径は、マグネット７の中心孔の内径よりも一回り小さく、顎模型１が支持台２の決められた位置に達した時に、突起部材６の先端側部分がマグネット７の中心孔内に収容されるようになっている（図１の下顎側の突起部材６及びマグネット７を参照）。
【０００９】
本発明の歯科咬合器では、図１に示されるような構造を有した顎模型１を顎模型支持台２に取り付ける際、顎模型１の位置が所定の取り付け位置からずれた状態では、丸みを帯びた先端形状を有した突起部材６の先端側部分が、顎模型支持台２の顎模型固定面を傷付けることなく、マグネット７の中心孔以外の部分に当接して、マグネット７とマグネット吸着板５との間に一定の隙間が形成されることにより強力な磁力が働かないために、弱い力で顎模型１を任意の方向へ摺動できるようになっている。そして、顎模型１が所定の取り付け位置に達した際には、突起部材６の先端側部分がマグネット７の中心孔に収容されることによって、マグネット７とマグネット吸着板５とが密接してマグネット７の磁力により顎模型１が顎模型支持台２の所定の位置に固定保持される。
図２は、本発明の歯科咬合器の好ましい一例における側面図であり、この咬合器にあっては、生体における口腔部の様子が再現されるようにして上顎模型支持台と下顎模型支持台が、ヒンジ部を有した固定装置に取り付けられており、上顎模型と下顎模型を口を開いた状態とすることによって実際の患者に近い感覚で実習を行うことができる。
【００１０】
本発明の歯科咬合器における顎模型支持台２に埋設されるマグネット７は、口蓋部分と呼ばれる馬蹄型歯列の内側に設置せざるを得ない制約があり、この狭い面積の中でマグネットはできるだけ大径の面積を確保する必要があり、好ましくはφ２０ｍｍ〜φ３０ｍｍの範囲の中で設定される。本発明にて使用されるマグネット７としては、例えば外径２２ｍｍのヨ−クに組み込まれたマグネットユニットが好ましく、一般的にはこのような大きさのマグネットユニットの表面磁束密度は約３８００〜３９００ガウスで、マグネット吸着板５としてＳＵＳ４１０板を用いた場合、両者の間には約１３〜１４ｋｇの吸着力（磁力）が働く。吸着力は磁石から距離の２乗に反比例するというクーロンの法則から、上記マグネットとステンレス板の場合、０ミリの距離の時は１３〜１４ｋｇの吸着力であるが、２ｍｍも離れると３〜４ｋｇとなり、４ｍｍ離れた時は０．２〜０．３ｋｇほどしか無くなる。本発明におけるマグネット７は、一般に、ヨークと呼ばれるマグネットの保護の役目と裏面に逃げてしまう磁束を表に廻して利用するためのドーナツ状マグネットの外形に存在するが、マグネット中心は顎模型支持台を固定用摘み８にてネジ留めするために貫通穴となっており、好ましくはＭ６ネジを通すためにφ７ｍｍの中心孔が開いている。
【００１１】
一方、本発明の歯科咬合器における顎模型１側に設けられる突起部材６は、顎模型１の位置が所定の取り付け位置からずれた状態にあるときに、マグネット７とマグネット吸着板５との間に強い磁力が作用しないような隙間が形成されるよう、マグネット吸着板の表面からの突起高さが３〜６ｍｍであるものが好ましく、４〜５ｍｍが特に好ましい。例えば、マグネット７が前述の７ｍｍの中心孔を有するものである場合、この中心孔を利用して６ｍｍの外径で、かつ先端部がスムースに摺動し易い円弧形状であるか紡錘形である突起部材（ガイドピン）を４〜５ｍｍの突起高さとなるように設けることにより、強い磁力が発生しない距離を確保しながら位置誘導操作が行え、マグネット７の中心孔に至った瞬間に強い磁力で吸着されるのでスムースな装着操作が可能となる利点が得られる。
本発明では、吸着に至るまでの顎模型１のスムースな摺動（移動）を行わさせるため、突起部材６の材質は滑りの良い樹脂を用いるのが好ましく、例えばポリオキシメチレン樹脂（アセタール樹脂）が好適であり、市販されているジュラコン(登録商標）、デルリン(登録商標）などの樹脂が利用できる。一般に、マグネット本体は焼き物であるために脆い性質を有しており、金属製の突起部材を摺動させた場合にはマグネット表面が傷が付き、衝撃的に突起部材が当たるとマグネットが破損する恐れがあるので好ましくない。本発明では、上記のアセタール樹脂製の突起部材６が存在することにより脆いマグネットを保護することができる。
本発明は、上述の構造を有した顎模型（上顎模型及び下顎模型）でもあり、患者の歯列状態（歯牙の植立状態）を再現した顎模型を作製し、前述の支持台に取り付けることによって、実際の患者と同様の条件下で補綴実習や保存・修復実習を行うことができ、実習後の顎模型を支持台から取り外して交換することで繰り返し実習が行える。
【００１２】
更に本発明の歯科咬合器においては、顎模型１を支持台２の同一位置に復元装着させるために、図１に示されるようにして、顎模型１のマグネット吸着板５の周縁部に実質的にＵ字状の切り欠き部９を設け、顎模型支持台２の顎模型固定面の、切り欠き部９と対応する位置に位置決めピン（ガイドピン）１０を設け、顎模型１を顎模型支持台２の所定の位置に取り付けた際に、位置決めピン１０が切り欠き部９に嵌合される構造であることが好ましい。尚、図１の歯科咬合器では、マグネット吸着板５の口腔奥側に切り欠き部９が設けられており、マグネット吸着板５の口腔手前側には、顎模型支持台２に設けられた位置決めピン１０’の先端側部分が嵌入されるように位置決め孔１１が設けられている。
歯科咬合器においては、図１に示されるような、２つの位置決めピンによって取り付け位置の規制を行う場合、大小各種の模型が存在することから輪郭部分に近い所に位置決めピンを設けることができず、口蓋部分と呼ばれる馬蹄型歯列の内側に設置せざるを得ないという制約がある。このように、上記の狭い範囲内で二つのガイドピンを設定せざるを得ない場合、現実的には位置決めピン１０，１０’の直径（外径）は２ｍｍ〜４ｍｍの範囲が好ましく、位置決めピンに有利な大きな径が取りにくい。
図３は、人間の頭部を模した頭部模型１２に、本発明の歯科咬合器を取り付けた際の各部の位置関係を示す図であり、この図面には、マグネット７の中心孔と突起部材６の位置関係、マグネット吸着板５のＵ字状切り欠き部９と位置決めピン１０の位置関係及び、マグネット吸着板５の位置決め孔１１と位置決めピン１０’の位置関係が示されている。
【産業上の利用可能性】
【００１３】
本発明の歯科咬合器の場合、顎模型が顎模型支持台の所定位置に達するまではマグネットとマグネット吸着板との間に一定の隙間が形成されるために強力な磁力が働かず、弱い力で顎模型を前後左右に移動させることができ、簡単かつ迅速に支持台の所定位置に取り付け可能である。又、患者に応じて、歯牙の植立状態を再現した本発明の顎模型を作製することで、実際の患者と同様の条件下で補綴実習や保存・修復実習が行える。
【図面の簡単な説明】
【００１４】
【図１】本発明の歯科咬合器の構造の一例を示す分解図である。
【図２】本発明の歯科咬合器の好ましい一例における側面図である。
【図３】人間の頭部を模した頭部模型１２に、本発明の歯科咬合器を取り付けた際の各部の位置関係を示す図である。
【符号の説明】
【００１５】
１  顎模型
２  顎模型支持台
３  歯牙固定用ネジ
４  歯牙
５  マグネット吸着板
６  突起部材
７  マグネット
８  固定用摘み
９  切り欠き部
１０、１０’  位置決めピン
１１  位置決め孔
１２  頭部模型
【図１】
2005152069.tif 000003
【図２】
2005152069.tif 000004
【図３】
2005152069.tif 000005